(57)【要約】【課題】波形が入力信号に対して正しい表示であるか、オーバースケールしている表示であるかを確実かつ簡便に識別することができ、しかも、オーバースケールしている波形の部位を簡便に識別することができる測定装置を提供する。【解決手段】測定信号を波形データに変換し、表示部６に波形を表示する測定装置は、表示部６に波形Ｗ１〜Ｗ３を表示させる波形表示処理部と、表示部６に表示可能な限界値を波形データが超えてしまい非表示になる波形Ｗ１〜Ｗ３の非表示部位を検出する非表示部位検出部と、非表示部位検出部の検出した非表示部位に対応する表示部６の背景Ｅ１、Ｅ２と、波形データが限界値を越えずに波形Ｗ１〜Ｗ３が表示される表示部６の背景Ｎとを、区別可能に表示させる背景表示処理部とを、備えるものである。【選択図】図３
2015031553.tif 000002
【特許請求の範囲】
【請求項１】
測定信号を波形データに変換する測定信号変換部と、波形を表示する表示部とを備える測定装置であって、
前記波形データを前記表示部に前記波形で表示させる波形表示処理部と、
前記表示部に表示可能な限界値を前記波形データが超えて非表示になる前記波形の非表示部位を検出する非表示部位検出部と、
前記非表示部位検出部の検出した前記非表示部位に対応する前記表示部の背景と、前記波形データが前記限界値を越えずに前記波形が表示される前記表示部の背景とを、区別可能に表示させる背景表示処理部とを、
備えることを特徴とする測定装置。
【請求項２】
前記背景表示処理部が、前記非表示部位に対応する前記表示部の背景と、前記波形が表示される前記表示部の背景とを、色調の相違、輝度の相違、模様の有無又は相違、及び枠表示の有無のうちの少なくともいずれか１つ、又は２つ以上の組み合わせによって、区別可能に表示させることを特徴とする請求項１に記載の測定装置。
【請求項３】
前記波形表示処理部が、複数の前記波形を表示させるときに、
前記背景表示処理部が、いずれの前記波形の非表示部位かを区別可能に、前記非表示部位の背景を表示させることを特徴とする請求項１又は２に記載の測定装置。
【請求項４】
前記波形表示処理部が、複数の前記波形を表示させるときに、
前記背景表示処理部が、複数の前記波形の前記非表示部位の重なり合う範囲を区別可能に、前記非表示部位の背景を表示させることを特徴とする請求項１又は２に記載の測定装置。
【請求項５】
前記波形表示処理部が、前記非表示部位に換えて、前記限界値に沿うラインを前記波形として表示させることを特徴とする請求項１から４のいずれかに記載の測定装置。
【発明の詳細な説明】
【技術分野】
【０００１】
本発明は、測定信号を波形データに変換し、表示部に波形を表示する測定装置に関するものである。
【背景技術】
【０００２】
測定信号に基づく波形を表示部に表示する測定装置には種々のものが有る。このような測定装置として、例えば、電圧波形を表示する電圧測定装置、電流波形を測定する電流測定装置、電力波形を表示する電力測定装置のような電気的特性値を測定する測定装置；温度の変動波形を表示する温度測定装置、湿度の変動波形を表示する湿度測定装置、風速の変動波形を表示する風速測定装置のように環境特性を測定する測定装置；長さの変動波形を表示する長さ測定装置のような機械的特性を測定する測定装置などが挙げられる。
【０００３】
このような測定装置は、波形データが表示部に表示可能な限界値を超えたときに、超えた部位の波形は表示部外に位置するため、表示部に表示することができない。
【０００４】
例えば、特許文献１には、表示部（表示面）の上端（上限の限界値）を超えてオーバースケールする波形データを表示部の上端に相当する波形データに変換し、表示部の下端（下限の限界値）を超えてオーバースケールする波形データを表示部の下端に相当する波形データに変換する波形観測装置が記載されている。この波形観測装置では、オーバースケールして表示部に表示されないはずの波形の部位が、表示部の上端や下端にライン状に表示される。そのため、オーバースケールしている波形の部位の所在を知ることができる。しかしながら、上端や下端に表示される波形の部位が測定信号に対して正しい表示なのか、オーバースケールした部位であるのかを、オペレータが識別し難いという課題がある。
【０００５】
例えば、特許文献２には、オーバーフローした波形の部位を、上端や下端にライン状に表示せずに消去する波形観測装置が記載されている。この波形観測装置では、オーバーフローしている波形の部位がライン状に表示されないため、オペレータは、上端や下端の近くに表示される波形の部位が測定信号に対して正しい表示であり、波形が途切れている部位がオーバーフローしている部位であることを判別することができる。しかしながら、オーバーフローした波形の部位は表示されず目立たないため、オーバーフローしていることをオペレータが識別し難いという課題がある。
【先行技術文献】
【特許文献】
【０００６】
【特許文献１】特開昭６１−０５７８６０号公報
【特許文献２】特開昭６１−１０５４６８号公報
【発明の概要】
【発明が解決しようとする課題】
【０００７】
本発明は前記の課題を解決するためになされたもので、オーバースケールしている波形の部位を一目瞭然に確実に識別することができる測定装置を提供することを目的とする。
【課題を解決するための手段】
【０００８】
前記の目的を達成するためになされた、特許請求の範囲の請求項１に記載された測定装置は、測定信号を波形データに変換する測定信号変換部と、波形を表示する表示部とを備える測定装置であって、前記波形データを前記表示部に前記波形で表示させる波形表示処理部と、前記表示部に表示可能な限界値を前記波形データが超えて非表示になる前記波形の非表示部位を検出する非表示部位検出部と、前記非表示部位検出部の検出した前記非表示部位に対応する前記表示部の背景と、前記波形データが前記限界値を越えずに前記波形が表示される前記表示部の背景とを、区別可能に表示させる背景表示処理部とを、備えることを特徴とする。
【０００９】
請求項２に記載された測定装置は、請求項１に記載のものであり、前記背景表示処理部が、前記非表示部位に対応する前記表示部の背景と、前記波形が表示される前記表示部の背景とを、色調の相違、輝度の相違、模様の有無又は相違、及び枠表示の有無のうちの少なくともいずれか１つ、又は２つ以上の組み合わせによって、区別可能に表示させることを特徴とする。
【００１０】
請求項３に記載された測定装置は、請求項１又は２に記載のものであり、前記波形表示処理部が、複数の前記波形を表示させるときに、前記背景表示処理部が、いずれの前記波形の非表示部位かを区別可能に、前記非表示部位の背景を表示させることを特徴とする。
【００１１】
請求項４に記載された測定装置は、請求項１又は２に記載のものであり、前記波形表示処理部が、複数の前記波形を表示させるときに、前記背景表示処理部が、複数の前記波形の前記非表示部位の重なり合う範囲を区別可能に、前記非表示部位の背景を表示させることを特徴とする。
【００１２】
請求項５に記載された測定装置は、請求項１から４のいずれかに記載のものであり、前記波形表示処理部が、前記非表示部位に換えて、前記限界値に沿うラインを前記波形として表示させることを特徴とする。
【発明の効果】
【００１３】
本発明の測定装置によれば、表示部に表示可能な限界値を波形データが超えて（オーバースケールして）非表示になる波形の非表示部位を検出し、この非表示部位の背景を、波形が表示されている範囲の背景とは区別可能に表示することにより、オペレータは、オーバースケールしている波形の部位を一目瞭然に確実に識別することができる。
【００１４】
波形の非表示部位の範囲の背景と、波形が表示されている範囲の背景とを、色調の相違、輝度の相違、模様の有無又は相違、及び枠表示の有無のうちの少なくともいずれか１つ、又は２つ以上の組み合わせによって区別可能に表示させる場合、オーバースケールしている範囲が視認し易くなるため、一層確実に識別することができる。
【００１５】
波形表示処理部が複数の波形を表示させるときに、背景表示処理部がいずれの波形の非表示部位かを区別可能に非表示部位の背景を表示させる場合、複数の波形の内のいずれの波形がオーバースケールしているかを、簡便に識別することができる。
【００１６】
波形表示処理部が複数の前記波形を表示させるときに、背景表示処理部が複数の波形の非表示部位の重なり合う範囲を区別可能に非表示部位の背景を表示させる場合、非表示部位が重なっていたとしても、複数の波形の内のいずれの波形がどの範囲でオーバースケールしているかを、簡便に識別することができる。
【００１７】
波形表示処理部が非表示部位に換えて限界値に沿うラインを波形として表示させる場合、オーバースケールしている波形の所在が判りやすくなる。
【図面の簡単な説明】
【００１８】
【図１】本発明を適用する測定装置のブロック図である。
【図２】本発明を適用する測定装置の動作を示すフローチャートである。
【図３】本発明を適用する測定装置の表示部の表示例を示す表示画面図である。
【図４】本発明を適用する他の測定装置の表示部の表示例を示す表示画面図である。
【図５】本発明を適用する他の測定装置の表示部の表示例を示す表示画面図である。
【発明を実施するための形態】
【００１９】
以下、本発明を実施するための形態を詳細に説明するが、本発明の範囲はこれらの例に限定されるものではない。
【００２０】
図１に、本発明を適用する測定装置１の構成を示す。この測定装置１は、測定信号変換部２、波形表示処理部３、非表示部位検出部４、背景表示処理部５、及び表示部６を備え、測定信号に基づく波形（測定値を表す波形）を表示部６に表示するものである。
【００２１】
測定信号変換部２は、ＡＤＣ（アナログ／デジタル変換器）１１、及び波形データ演算部１２を備え、図示しない測定用センサから出力されるアナログの測定信号を、表示部６に表示させる波形に対応するデジタルの波形データに変換するものである。測定用センサには、測定装置１の測定対象に適した公知のセンサが用いられる。測定用センサは、例えば、測定対象に接触して測定対象の電圧を検出するためのプローブ、電流検出用抵抗、クランプ式のＣＴ（カレントトランス）センサ、温度センサ、湿度センサなどである。測定装置１が例えば多相交流の電力波形を測定する場合、相の数に対応した電圧センサ及び電流センサが用いられ、相の数に対応した電圧及び電流の測定信号が測定信号変換部２に入力される。又、測定装置１が複数チャネル分の測定を行う場合、チャネル数に対応した複数の測定信号が測定信号変換部２に入力される。複数の測定信号が入力される場合、測定信号の数に対応させてＡＤＣ１１が複数備えられる。測定用センサは、測定装置１に内蔵の構成であってもよいし、測定装置１に外付けの構成であってもよい。外付けの場合、測定用センサは、コネクタによって測定装置１に着脱可能に取り付けられる。
【００２２】
ＡＤＣ１１は、アナログの測定信号を所定のサンプリング周期でサンプリングし、時系列に沿ったデジタルの測定信号に変換して出力するものである。波形データ演算部１２は、ＡＤＣ１１の出力するデジタルの測定信号を、表示部６に表示する波形に対応する波形データに変換する演算を行うものである。例えば、表示部６に電力波形を表示する場合、波形データ演算部１２は、電圧及び電流の測定信号から電力波形を示す波形データを演算する。又、例えば、表示部６に電流の最大値波形、平均値波形、最小値波形を表示する場合、波形データ演算部１２は、電流の測定信号から最大値波形、平均値波形、最小値波形を示す３種の波形データを演算する。ＡＤＣ１１の出力するデジタルの測定信号を波形データとして用いることができる場合、波形データ演算部１２を省略することができる。
【００２３】
波形表示処理部３は、波形データを波形として表示部６に表示させるものである。波形表示処理部３は、波形を表示させる縦軸及び横軸に対応させて、波形データをグラフ（波形）で描画した画像を生成する。
【００２４】
非表示部位検出部４は、表示部６に表示可能な限界値を、波形データの値が超えることで非表示になってしまう波形の部位（非表示部位）を検出するものである。限界値は、波形データに対する上限値及び／又は下限値で設定される。例えば、波形を表示する横軸が時間軸の場合のように横軸方向に波形を描画する場合、限界値は縦軸の上限値／又は下限値で設定される。波形を縦軸方向に描画する場合、限界値は横軸の上限値／又は下限値で設定される。
【００２５】
非表示部位検出部４が非表示部位を検出することで、波形表示処理部３が、波形の非表示部位に換えて、限界値に沿うラインを波形として表示させるようにしてもよい。この場合、波形表示処理部３は、非表示部位に相当する波形データを限界値に置換して波形表示させる。なお、波形表示処理部３が、非表示部位の波形をラインで表示しなくてもよい。この場合、非表示部位の範囲に、波形は表示されない。
【００２６】
背景表示処理部５は、表示部６に表示させる波形表示領域の背景の画像を生成するものである。背景表示処理部５は、非表示部位検出部４の検出した非表示部位に対応する表示部６の背景と、波形データが限界値を越えずに波形として表示される表示部６の背景とを、区別可能に異ならせて表示させる。波形表示処理部３の生成する波形の画像と、背景表示処理部５の生成する背景の画像とが重なり合わされて、表示部６に表示される。波形表示処理部３及び背景表示処理部５が一体化されて構成されていてもよい。波形表示処理部３及び背景表示処理部５のいずれかが、波形及び背景以外にも縦軸スケール、横軸スケールなどの表示スケール、軸目盛の数値、目盛線、マーカーなどその他の画像を生成してもよい。
【００２７】
波形データ演算部１２、波形表示処理部３、非表示部位検出部４、及び背景表示処理部５は、一例として、１つ又は複数のＣＰＵ（中央演算処理装置）がソフトウエアで動作することによって構成されている。
【００２８】
表示部６は、画像を表示可能な表示画面を有する例えば液晶パネル、プラズマパネル、ＣＲＴ（陰極線管）などである。
【００２９】
同図に示すように、測定装置１がメモリ７を備えていてもよい。メモリ７は、例えば半導体メモリ、ハードディスクなどの書き換え可能な不揮発性メモリである。同図中に破線で示すように、測定信号変換部２の出力する波形データをメモリ７に記録して、メモリ７の記録する波形データを波形表示処理部３及び非表示部位検出部４に出力するようにしてもよい。又は、メモリ７が、ＡＤＣ１１の出力するデジタルの測定信号を記録して、波形データ演算部１２に出力するようにしてもよい。又、メモリ７が、表示部６に表示した画像を記録するようにしてもよい。
【００３０】
次に、測定装置１の動作について説明する。図２に、測定装置１の動作を示すフローチャートを図示する。
【００３１】
測定装置１は、ステップＳ１で、測定信号変換部２が測定信号を取得して、ステップＳ２で、デジタルの波形データに変換する。続いて、ステップＳ３に進み、非表示部位検出部４が、波形データが限界値を超えているか否かを判別する。ステップＳ３では、例えば表示部６に表示する１画面分の波形データについてそれぞれ判別する。ステップＳ３で、波形データが限界値を超えていると判別した場合、ステップＳ４に進み、背景表示処理部５が、限界値を超えた測定データに対応する表示部６の背景を、通常の背景とは異なる非表示部位用の背景で表示部６に表示させる。続いて、ステップＳ５に進み、波形表示処理部３が限界値を超えた波形データを、限界値に置換して、ステップＳ７に進む。ステップＳ３で波形データが限界値を超えていないと判別した場合、ステップＳ６に進み、背景表示処理部５が、限界値を超えていない波形データに対応する表示部６の背景を、通常の背景で表示させ、ステップＳ７に進む。
【００３２】
ステップＳ７では、波形表示処理部３が、波形データを波形として表示部６に表示させる。以上で、波形及び背景の表示処理が終了する。
【００３３】
図３に具体例を示す。同図は、一例として、電圧、電流、及び電力を測定可能な測定装置１の表示部６の表示画面２１を示している。表示画面２１には、波形（グラフ）のプロットエリアとなる波形表示領域２２、及び各種情報を表示する情報表示領域２３が表示されている。波形表示領域２２には、縦軸スケールＹ、横軸スケールＸ、目盛線Ｈも表示される。縦軸スケールＹは電流軸である。この例では、測定レンジが５００ｍＡレンジに設定されていて、縦軸スケールＹが０〜５００ｍＡに設定されている例を示している。横軸スケールＸは時間軸である。なお、測定レンジは、図示しない操作部の操作により切り換えることができる。測定レンジが切り換えられると、測定信号変換部２、波形表示処理部３、非表示部位検出部４、及び背景表示処理部５（図１参照）は測定レンジに対応して動作して、測定レンジに対応するように縦軸スケールＹも変更して表示される。
【００３４】
同図には、電流の最大値を示す波形Ｗ１、電流の平均値を示す波形Ｗ２、及び電流の最小値を示す波形Ｗ３が、波形表示領域２２に表示されている例を模式的に示している。
【００３５】
波形表示領域２２に波形Ｗ１〜Ｗ３を表示可能な限界値は、一例として、縦軸スケールＹに表示する目盛りの数値の最大値（この例では測定レンジに対応する５００ｍＡ）の１３０％の値（この例では６５０ｍＡ）に予め設定されている。この限界値は上限値であり、上限値を超える波形の部位（非表示部位）は波形表示領域２２に表示されない。言い換えると、波形表示領域２２の上端の値が上限値である。波形Ｗ１〜Ｗ３の波形データの最小値は０ｍＡより小さくなることが無いため、限界値として下限値は設定されていない。このように、限界値は、波形表示領域２２の上端値（及び／又は下端値）、又は縦軸スケールＹに対する比率で設定される。
【００３６】
同図に示すように、波形Ｗ１〜Ｗ３は横軸スケールＸの時刻ｔ１〜ｔ２の範囲で限界値を超えていて、波形表示領域２２に表示されていない。非表示部位検出部４（図１参照）が時刻ｔ１〜ｔ２の間の非表示部位を検出し、背景表示処理部５（図１参照）が時刻ｔ１〜ｔ２の範囲の波形表示領域２２に非表示部位用の背景Ｅ１を表示させる。波形Ｗ１〜Ｗ３は横軸スケールＸの時刻ｔ３〜ｔ４の範囲でも限界値を超えるため、背景表示処理部５が時刻ｔ３〜ｔ４の範囲の波形表示領域２２に、非表示部位用の背景Ｅ２を表示させる。非表示部位用の背景Ｅ１、Ｅ２は、波形表示領域２２の上端から下端まで達する帯状（縦帯状）に表示させる。背景表示処理部５は、波形Ｗ１〜Ｗ３が表示されている範囲では、通常の背景Ｎを表示させる。なお、同図では、非表示部位用の背景Ｅ１、Ｅ２を線図で示すために、背景Ｅ１、Ｅ２をハッチングで表示している。
【００３７】
背景表示処理部５(図１参照)は、複数の波形Ｗ１〜Ｗ３の内のいずれか１つでも限界値を超えたときに、非表示部位用の背景Ｅ（Ｅ１、Ｅ２）を表示させる。
【００３８】
背景表示処理部５は、非表示部位用の背景Ｅと、通常の背景Ｎとを、色調の相違、輝度の相違、模様の有無又は相違、及び枠表示の有無のうちの少なくともいずれか１つ、又は２つ以上の組み合わせによって、オペレータが視認により簡便に区別可能に表示することが好ましい。又、背景表示処理部５は、オペレータが波形Ｗ１〜Ｗ３、縦軸スケールＹ、横軸スケールＸ、及び補助目盛線Ｈを視認し易いように、これらとは色調及び／又は輝度を相違させて、非表示部位用の背景Ｅを表示することが好ましい。例えば、通常の背景Ｎが黒色で、縦軸スケールＹ、横軸スケールＸ、及び補助目盛線Ｈが白色で表示され、波形Ｗ１が赤色、波形Ｗ２が黄色、波形Ｗ３が青色で表示される場合、これらの何れの色とも異なる色（例えば灰色（グレー））で非表示部位用の背景Ｅを表示させる。非表示部位用の背景Ｅを、一定周期で表示と非表示とを繰り返させて、点滅するように表示させてもよい。
【００３９】
このように、波形の非表示部位を示すために、通常の背景Ｎとは異なる非表示部位用の背景Ｅを表示することで、オペレータは限界値を超えている波形Ｗ１〜Ｗ３の部位を一目瞭然に確実に識別することができる。
【００４０】
背景表示処理部５は、同図に示すように、非表示部位用の背景Ｅを、波形表示領域２２の上端から下端まで達するように、非表示部位に対応する範囲の波形表示領域２２全体を、通常の背景Ｎと異ならせて表示させると、非表示部位用の背景Ｅの表示面積が大きくなってオペレータが視認し易くなるため、好ましい。なお、非表示部位用の背景Ｅを、波形表示領域２２の上端から中央まで、又は波形表示領域２２の中央から下端までのように、波形の非表示部位に対応する背景の一部だけを、通常の背景Ｎと異ならせて表示するようにしてもよい。非表示部位用の背景Ｅを、波形表示領域２２外まで伸ばして表示させてもよい。
【００４１】
波形表示処理部３(図１参照)は、波形Ｗ１〜Ｗ３の非表示部位を、限界値に沿うラインＬで繋げて表示している。例えば、同図中に丸枠Ｓで囲んだ波形Ｗ１の部位は、波形表示領域２２の上端に近接している。従来は、この部位が、限界値を超えてラインＬに置換された波形であるか、測定信号が正しく表示された波形であるか不明であり、確認するためには、例えばマーカーＭを表示させて、波形Ｗ１の値を確認することが必要であった。しかしながら、本発明では、同図に示すように、丸枠Ｓの波形Ｗ１に対しては、非表示部位の背景Ｅが表示されていないため、オペレータは丸枠Ｓの部位が測定信号を正しく表示した波形であることを、簡便に識別することができる。
【００４２】
図４に別の具体例を示す。同図は、一例として、多チャネルで電圧波形を測定する測定装置１（デジタルオシロスコープ）の表示部６の表示画面２１を示している。この例では、表示画面２１全体が、波形のプロットエリアとなる波形表示領域２２になっている。波形表示領域２２の上端Ｕｐは縦軸スケールの上限値（一例として５Ｖ）であり、波形表示領域２２の下端Ｌｏは縦軸スケールの下限値（一例として−５Ｖ）である。波形表示領域２２の中央Ｃは縦軸スケールの中央値（一例として０Ｖ）である。
【００４３】
波形表示領域２２に、波形表示処理部３(図１参照)が、複数の波形Ｗ１１、Ｗ２１を表示させている。波形Ｗ１１は、横軸（時間軸）の時刻ｔ１３〜ｔ１４の範囲が上限値を超えて非表示部位になっており、時刻ｔ１５〜ｔ１６の範囲が下限値を超えて非表示部位になっている。非表示部位検出部４は、各々の波形Ｗ１１、Ｗ２１ごとに非表示部位を検出する。背景表示処理部５(図１参照)は、同図に示すように、時刻ｔ１３〜ｔ１４の範囲の背景として、非表示部位用の背景Ｅ１１ａを表示させると共に、時刻ｔ１５〜ｔ１６の範囲の背景として、非表示部位用の背景Ｅ１１ｂを表示させる。又、背景表示処理部５は、波形Ｗ１１が表示されている範囲の波形表示領域２２の背景には、通常の背景Ｎを表示させる。
【００４４】
このように、波形Ｗ１１、Ｗ２１が波形表示領域２２の上端及び下端を超える可能性がある場合、限界値として上限値及び下限値を設定して、超えた範囲に、非表示部位用の背景Ｅ１１ａ、Ｅ１１ｂを表示させる。
【００４５】
波形Ｗ２１は横軸の時刻ｔ１１〜ｔ１２の範囲が上限値を超えて非表示部位になっていて、この範囲に、背景表示処理部５が非表示部位用の背景Ｅ２１を表示させる。背景表示処理部５は、非表示部位用の背景Ｅ１１ａ、Ｅ１１ｂ、Ｅ２１を全て同じ色調等で表示させてもよいが、波形Ｗ１１の非表示部位用の背景Ｅ１１ａ、Ｅ１１ｂと、波形Ｗ２１の非表示部位用の背景Ｅ２１とを、区別可能に色調等を異ならせて表示させてもよい。例えば、波形Ｗ１１を赤色、波形Ｗ２１を黄色で表示させる場合、背景Ｅ１１ａ、Ｅ１１ｂを赤色の混じった灰色で表示させ、背景Ｅ２１を黄色の混じった灰色で表示させる。
【００４６】
このように、非表示部位用の背景Ｅ１１ａ、Ｅ１１ｂと、背景Ｅ２１とを異ならせて表示すると、オペレータは、複数の波形Ｗ１１、Ｗ２１の内のいずれの波形が限界値を超えているかを、簡便に識別することができる。
【００４７】
図５に、別の具体例を示す。同図は、図４に示した表示画面２１に、別の複数の波形Ｗ３１、Ｗ４１が表示されている例である。同図に示すように、波形Ｗ３１に対し非表示部位用の背景Ｅ３１が表示されていて、波形Ｗ４１に対し非表示部位用の背景Ｅ４１が表示されている。非表示部位用の背景Ｅ３１と背景Ｅ４１とは、一部の範囲で重なり合い、重なり合う範囲が背景ＥＥになっている。背景表示処理部５（図１参照）は、背景Ｅ３１と背景Ｅ４１とを例えば同じ色調等で表示させる場合、背景ＥＥを背景Ｅ３１、Ｅ４１と同じ色調で表示させて、背景ＥＥを区別可能に表示しなくてもよいが、区別可能に表示させることが好ましい。例えば、背景表示処理部５が、背景ＥＥの色調、輝度、模様を、背景Ｅ３１の色調等と背景Ｅ４１の色調等とを足し合わせたような色調等で表示させることが好ましい。背景表示処理部５が、非表示部位用の背景Ｅ３１、背景Ｅ４１を同じ色（例えば灰色）で表示させる場合、その色を足し合わせた濃い色（例えば濃い灰色）で背景ＥＥを表示させることで、区別可能にしてもよい。図示しないが、３つの非表示部位用の背景が重なり合う場合、さらに濃い色で表示させる。又、背景表示処理部５が、非表示部位用の背景Ｅ３１を赤の混じった灰色、背景Ｅ４１を黄色の混じった灰色のように異なる色で表示させる場合、背景ＥＥを、橙色（赤色と黄色とを重ねた色）の混じった灰色で表示させて、区別可能にしてもよい。
【００４８】
このように、非表示部位用の背景Ｅ３１と背景Ｅ４１とが重なり合う範囲の背景ＥＥを区別可能に表示させると、オペレータは、複数の波形Ｗ３１、Ｗ４１の内のいずれの波形がどの範囲で限界値を超えているかを、簡便に識別することができる。
【００４９】
なお、図３〜図５に示した波形Ｗ１〜Ｗ４１の表示画面２１上の表示位置を、例えば、矢印キーや回転ダイヤルなどの操作部の操作で横軸方向に移動（スクロール）させたり、波形Ｗ１〜Ｗ４１をリアルタイムに表示させて時間経過と共に移動させたりする場合、波形Ｗ１〜Ｗ４１の表示位置の移動と共に、非表示部位用の背景Ｅ１〜Ｅ４１の表示位置も移動させる。又、操作部の操作で波形Ｗ１〜Ｗ４１を拡大／縮小表示させる場合、非表示部位用の背景Ｅ１〜Ｅ４１も合わせて拡大／縮小表示させる。
【００５０】
又、操作部の操作により、背景表示処理部５に対して、図３〜図５に示した非表示部位表示用の背景Ｅ１〜Ｅ４１の表示の有無を設定できるようにしてもよい。この表示の有無の設定は、個々の波形Ｗ１〜Ｗ４１ごとに設定可能にしてもよいし、表示画面２１内に同時に表示される波形Ｗ１〜Ｗ４１に対して一括で設定可能にしてもよい。１つの波形Ｗ１１に対し複数の非表示部位表示用の背景Ｅ１１ａ、Ｅ１１ｂが表示される場合、背景Ｅ１１ａ、Ｅ１１ｂごとに表示の有無を設定できるようにしてもよい。又、表示部６に表示された波形Ｗ１〜Ｗ４１を含む画像を、例えばＵＳＢメモリやＳＤカードメモリ、ＣＤ−ＲＷなどの外部記録媒体に記録可能にする場合にも、背景Ｅ１〜Ｅ４１の表示の有無を設定可能にしてもよい。又、操作部の操作により、背景Ｅ１〜Ｅ４１の色調、輝度、模様、枠表示の有無を変更できるようにすることが好ましい。通常の背景Ｎの色調等を変更できるようにしてもよい。
【符号の説明】
【００５１】
１は測定装置、２は測定信号変換部、３は波形表示処理部、４は非表示部位検出部、５は背景表示処理部、６は表示部、７はメモリ、１１はＡＤＣ、１２は波形データ演算部、２１は表示画面、２２は波形表示領域、２３は情報表示領域、Ｃは中央、Ｅ１〜Ｅ４１は非表示部位用の背景、ＥＥは非表示部位用の背景同士が重なり合う範囲の背景、Ｈは目盛線、Ｌは限界値に沿うライン、Ｌｏは下端、Ｍはマーカー、Ｎは波形が表示される範囲の背景（通常の背景）、Ｓは丸枠、ｔ１〜ｔ１６は時間軸の時刻、Ｕｐは上端、Ｗ１〜Ｗ４１は波形、Ｘは横軸スケール、Ｙは縦軸スケールである。
【図１】
2015031553.tif 000003
【図２】
2015031553.tif 000004
【図３】
2015031553.tif 000005
【図４】
2015031553.tif 000006
【図５】
2015031553.tif 000007